(57)【要約】【課題】  遊技機において、不正行為の抑制に有効な制御基板の配置技術を提供する。【解決手段】  本体枠１０３と、本体枠１０３に装着される遊技盤１０５と、本体枠側の電気接点と遊技盤側の電気接点とを接続する一対のコネクタ１１３ａ，１１３ｂとを備えた遊技機１００において、払出制御基板を収容する払出制御基板ボックス１１５と、主制御基板を収容する主制御基板ボックス１１７を、本体枠あるいは遊技盤の裏面に外部から見えるように配置した。【選択図】  図６
2010104842.tif 000002
【特許請求の範囲】
【請求項１】
本体枠と、
前記本体枠に装着される遊技盤と、
前記本体枠側の電気接点と前記遊技盤側の電気接点とを接続する一対のコネクタとを備
えた遊技機であって、
払出制御基板を収容する払出制御基板ボックスと、主制御基板を収容する主制御基板ボ
ックスを、前記本体枠あるいは遊技盤の裏面に外部から見えるように配置したことを特徴
とする遊技機。
【発明の詳細な説明】
【技術分野】
【０００１】
本発明は、パチンコ機、アレンジボール機等の遊技機における制御基板の基板ボックス
の合理的な配置技術に関する。
【背景技術】
【０００２】
従来、パチンコ機には、遊技全体を制御する主制御基板、当該主制御基板からの信号に
基づいて音声装置およびランプ装置を駆動制御する副制御基板、あるいは払出装置を駆動
制御するのに用いられる払出制御基板等の各種の制御基板が設けられ、それらの各制御基
板は、それぞれが透明な合成樹脂製の基板ボックスに収容された状態でパチンコ機の裏面
に配置されている。このような制御基板の配置技術については、例えば特開２００２−８
５７７０号公報（特許文献１）に開示されている。
【０００３】
ところで、上記のような各種制御基板のうち、遊技の構成上、重要な位置を占める主制
御基板および球の払い出しを制御するための払出制御基板は、他の制御基板に比べて重要
度が高いものであり、かかる制御基板については、不正な改造あるいは交換といった行為
を点検作業によって早期に発見できるようにすることが好ましい。ところが、従来技術で
は、制御基板を収容する基板ボックスの配置に関し、特に上記した観点での考慮がなされ
ておらず、かかる点で改良の余地がある。
【先行技術文献】
【特許文献】
【０００４】
【特許文献１】特開２００２−８５７７０号公報
【発明の概要】
【発明が解決しようとする課題】
【０００５】
本発明は、かかる点に鑑みてなされたものであり、遊技機において、不正行為を抑制す
る上で有効な基板ボックスの配置技術を提供することを目的とする。
【課題を解決するための手段】
【０００６】
上記課題を達成するため、特許請求の範囲の請求項記載の発明が構成される。
請求項１に記載の発明によれば、本体枠と、本体枠に装着される遊技盤と、本体枠側の
電気接点と遊技盤側の電気接点とを接続する一対のコネクタとを備えた遊技機が構成され
る。なお遊技機としては、典型的にはパチンコ機やアレンジボール機等がこれに該当する
。本発明においては、払出制御基板を収容する払出制御基板ボックスと、主制御基板を収
容する主制御基板ボックスを、本体枠あるいは遊技盤の裏面において外部から見えるよう
に配置した。かかる構成としたことにより、点検作業時において、外部からの視認によっ
て、あるいは照合装置によって、基板ボックス内の制御基板の不正のチェック等を容易に
行うことが可能となり、その結果、不正な改造あるいは交換といった行為の抑制効果を得
ることができる。
【発明の効果】
【０００７】
本発明によれば、遊技機において、不正行為の抑制に有効な基板ボックスの配置技術が
提供されることとなった。
【図面の簡単な説明】
【０００８】
【図１】パチンコ機の全体を示す斜視図である。
【図２】本体枠を裏面側から見た斜視図である。
【図３】遊技盤を裏面側から見た斜視図である。
【図４】遊技盤の本体枠に対する取付構造を示す断面図であり、取り付け途中状態を示す。
【図５】遊技盤の本体枠に対する取付構造を示す断面図であり、取り付けられた状態を示す。
【図６】本体枠に遊技盤が取り付けられた状態のパチンコ機の裏面図である。
【図７】電源基板ボックスが取り外された状態の本体枠裏面の下縁領域を示す図である。
【図８】基板取付パネルに電源基板ボックスが装着された状態を示す図である。
【図９】電源基板ボックスの底面側を示す図である。
【図１０】払出制御基板ボックスの表面（後面）を示す図である。
【図１１】払出制御基板ボックスの底面（前面）を示す図である。
【図１２】電源基板ボックスを示す斜視図である。
【図１３】電源基板ボックスの分解斜視図である。
【図１４】電源基板ボックスの斜視図である。
【図１５】電源基板が取り付けられた基板ベースの平面図である。
【図１６】ボックスカバーの斜視図である。
【図１７】払出制御基板ボックスを後面（表面）側から見た斜視図である。
【図１８】払出制御基板ボックスを前面（底面）側から見た斜視図である。
【図１９】払出制御基板ボックスを積み重ねた状態の模式図である。
【発明を実施するための形態】
【０００９】
以下、本発明の実施の形態に係るパチンコ機につき図面を参照しつつ詳細に説明する。
図１はパチンコ機１００の全体を示す斜視図である。パチンコ機１００は、本発明におけ
る「遊技機」の一例である。図１に示すように、パチンコ機１００は、概括的には、外枠
１０１と、本体枠１０３と、遊技盤１０５と、ガラス枠１０７と、前板１０９からなる。
本体枠１０３はパチンコ機１００の前方から見て左側縁部がヒンジを介して外枠１０１に
開閉自在に取り付けられる。遊技盤１０５は本体枠１０３に前方から嵌め込まれた状態で
取り付けられる。
【００１０】
図２は本体枠１０３の裏面側を示す斜視図である。図示のように、パチンコ機裏面側か
ら見て本体枠１０３の中央開口部１１１の左下隅の後面寄りにコネクタ１１３ａが配置さ
れ、また本体枠１０３の裏面側における中央開口部１１１の下方領域には払出装置制御用
の払出制御基板を収容する払出制御基板ボックス１１５が配置されている。なお払出制御
基板ボックス１１５は、電源基板を収容する電源基板ボックス１１７の後面と球通路を構
成する球通路構成部材１１９（図７参照）の後面間に跨って配置されている（なお、図２
では電源基板ボックス１１７および球通路構成部１１９は、払出制御基板ボックス１１５
によって隠されている）。このことについては後述する。
【００１１】
図３は遊技盤１０５を裏面側から見た斜視図である。図示のように、遊技盤１０５の裏
面側における下縁領域には、遊技全体を制御する主制御基板を収容する主制御基板ボック
ス１２１と、主制御基板からの信号に基づいて表示装置（図示省略）、音声装置ないしラ
ンプ装置を駆動制御する副制御基板を収容する副制御基板ボックス１２３が、主制御基板
ボックス１２１を後側にして前後に重ね合わせた状態で装着されている。遊技盤１０５の
裏面側において、パチンコ機１００の裏面から見て左下隅には、コネクタ１１３ｂが配置
されている。そしてこの遊技盤１０５側のコネクタ１１３ｂは、遊技盤１０５を本体枠１
０３に前方から取り付ける際、遊技盤１０５の取付動作に基づき本体枠１０３側のコネク
タ１１３ａと係合する構成とされる。なお上述した各種の基板ボックスは、基板ベースと
、当該基板ベースに装着されるボックスカバーとから形成されるとともに、制御基板を収
容する構成とされる。ボックスカバーについては、ボックス内部の制御基板の部品実装面
を外から透視できるように、透明な合成樹脂によって形成されている。
【００１２】
図４および図５は本体枠１０３に対する遊技盤１０５の取付構造を示しており、この図
４および図５の断面図を参照して、遊技盤１０５の本体枠１０３に対する取り付けについ
て説明する。図示のように、本体枠１０３における中央開口部１１１の奥側には、遊技盤
１０５の外周形状に概ね対応する形状の遊技盤取付枠部１０３ａが形成されるとともに、
中央開口部１１１の左端下縁には重量支持部１０３ｂが設けられ、左側縁部には上下一対
の係合部材１０３ｃが設けられている。遊技盤１０５は、図４に二点鎖線で示すように、
パチンコ機前方から見て左端下縁を重量支持部１０３ｂに載せて重量を支持するとともに
、本体枠１０３に対し左側縁部が奥側、右側縁部が手前側となるようにやや傾斜させた状
態で、本体枠１０３における係合部材１０３ｃと遊技盤取付枠部１０３ａの左側縁部との
間に左側縁部を挿入する。このとき、係合部材１０３ｃが設定される側の左側縁部には、
干渉回避用の切欠部１０３ｄを設けてあるため、遊技盤１０５の左側縁部を干渉させるこ
となく挿入することができる。そして挿入後は、係合部材１０３ｃ側（左側縁部）を支点
にして遊技盤１０５を後面側に向って概ね水平状に回動する。これにより、図５に示す如
く、遊技盤１０５を本体枠１０３の遊技盤取付枠部１０３ａに嵌め込むことができる。な
お遊技盤取付枠部１０３ａに嵌め込まれた遊技盤１０５は、その後、当該遊技盤１０５の
、例えば右側縁部の上下２箇所に設けたロック手段（図示省略）を介して本体枠１０３に
止着される。かくして、遊技盤１０５は本体枠１０３に対しがたつきのない状態で確実に
固定される。
【００１３】
上記のような遊技盤１０５の本体枠１０３に対する取り付け動作に基づき、遊技盤１０
５側のコネクタ１１３ｂが本体枠１０３側のコネクタ１１３ａに係合され、それに伴いコ
ネクタ１１３ａ，１１３ｂに備えられた電気接点が相互に接続される。なお遊技盤側コネ
クタ１１３ｂと取付枠側コネクタ１１３ａをパチンコ機裏面側から見て左下隅部に配置し
たときは、本体枠１０３の裏面側に配置される球タンク１２５、タンクレール１２７、お
よび払出装置１２９などの多量の球が流れる球流路から離間した位置に配置することとな
る。これによって両コネクタ１１３ａ，１１３ｂおよびそれに連なる電気配線に電気ノイ
ズの影響が及ぶのが防止される。
【００１４】
ところで、本体枠１０３あるいは遊技盤１０５の後面に備えられる各種制御基板のうち
、遊技の構成上、重要な位置を占める主制御基板および球の払い出しを制御するための払
出制御基板は、他の制御基板に比べて重要度が高く、かかる制御基板については、外部か
らの視認性を高めて当該制御基板に不正な改造あるいは交換といった行為が及ぶのを抑制
するのが好ましい。かかる観点から本実施の形態においては、主制御基板を収容する主制
御基板ボックス１２１を、副制御基板ボックス１２３の後面に重ねて配置し、また払出制
御基板を収容する払出制御基板ボックス１１５を電源基板ボックス１１７の後面に重ねて
配置している。これにより主制御基板ボックス１２１および払出制御基板ボックス１１５
を外部から視認可能な状態に設置するとともに、当該制御基板のデータを照合装置により
照合するべく、照合端子差込用コネクタが露出される構成としている。なお主制御基板ボ
ックス１２１内に収容される制御基板の部品実装面および払出制御基板ボックス１１５内
に収容される制御基板の部品実装面は、透明な合成樹脂からなるボックスカバーを通して
視認できる。上記の払出制御基板を収容する払出制御基板ボックス１１５が本発明におけ
る「第１の制御基板ボックス」に対応し、主制御基板を収容する主制御基板ボックス１２
１が本発明における「第２の制御基板ボックス」に対応する。
【００１５】
図６は、本体枠１０３に遊技盤１０５が取り付けられた状態のパチンコ機の裏面図であ
り、制御基板ボックスの配置構成が示されている。図示のように、遊技盤１０５側に取り
付けられた主制御基板ボックス１２１と、本体枠１０３側に取り付けられた払出制御基板
ボックス１１５は、共に外部からの視認が可能とされている。そして両制御基板１２１，
１１５は、上下方向に所定の間隙を置いて隣接され、この間隙に払出制御基板ボックス１
１５内の払出制御基板と本体枠１０３側のコネクタ１１３ａとを接続するための電気配線
１３１が配置されている。すなわち、電気配線１３１はコネクタ１１３ａ内の電気端子に
コネクタ接続されて外側へと引き出された後、主制御基板ボックス１２１の下縁部と払出
制御基板ボックス１１５の上縁部間に設定された間隙を通って中央側へと水平状に延びる
とともに、払出制御基板ボックス１１５の上縁部にケーブル接続用コネクタを介して接続
される構成とされる。なお電気配線１３１は、電源供給用の電源線および情報入出力用の
信号線からなる。
【００１６】
このように、コネクタ１１３ａと払出制御基板ボックス１１５の払出制御基板とを接続
する電気配線１３１につき、主制御基板ボックス１２１と払出制御基板ボックス１１５間
の間隙を利用して配置することによって、それら主制御基板ボックス１２１および払出制
御基板ボックス１１５に被らないようにし、外部からの視認性に影響しない構成としてい
る。かかる構成を採用することによって、点検作業時において、主制御基板ボックス１２
１内の主制御基板および払出制御基板ボックス１１５内の払出制御基板につき、外部から
の視認による、あるいは照合装置による不正のチェック等を容易に行うことができる。
またコネクタ１１３ａから延びる電気配線１３１を、主制御基板ボックス１２１と払出
制御基板ボックス１１５間の間隙に通して払出制御基板ボックス１１５の上縁部へと導い
て接続する構成としたことによって、電気配線１３１によるコネクタ１１３ａと払出制御
基板の接続距離の短縮化を図り、電気配線１３１の配置スペースを減少することが可能と
なる。
また本実施の形態においては、本体枠側のコネクタ１１３ａの後側には、図２に示すよ
うに、合成樹脂製の蓋（カバー）１１４が取り付けられており、当該コネクタ１１３ａに
コネクタ接続された端子および電気配線１３１を覆う構成としている。このように本体枠
側のコネクタ１１３ａに蓋１１４に設けてコネクタ接続部を覆うことにより、当該コネク
タ１１３ａよりも上方に位置する、島設備の球供給装置やパチンコ機１００の球タンク１
２５等からの落下球が細い信号線を含むコネクタ接続部に衝突することを防止することが
できる。
【００１７】
次に電源基板ボックス１１７および払出制御基板ボックス１１５の取付構造につき、図
７〜図１１を参照して説明する。図７には電源基板ボックス１１７が取り外された状態の
本体枠裏面の下縁領域が示されている。図示のように、本体枠１０３における裏面の下縁
領域には、電源基板ボックス１１７の配置領域が設定され、この配置領域には、概ね平板
状の金属製あるいは樹脂製の基板取付パネル１４１が固着されている。基板取付パネル１
４１には、３個の係止爪１４３が切り起こし状に設定されている。一方、図９は電源基板
ボックス１１７の前面側を示す図であり、当該電源基板ボックス１１７の前面、詳しくは
基板ベースの外面（パネルに対する取付面）には、図示のように、係止爪１４３に対応す
る３個の係止片１４５が設けられている。係止爪１４３によって第１の係止部材が構成さ
れ、係止片１４５によって第２の係止部材が構成される。電源基板ボックス１１７は、図
９に示す前面側を基板取付パネル１４１に重ねたのち、当該基板取付パネル１４１の面に
沿って横方向にスライドする（滑らす）と、係止片１４５が係止爪１４３に潜り込むが如
く差し込まれて係止する。かくして、電源基板ボックス１１７は基板取付パネル１４１に
安定した状態に止着される。
【００１８】
図８は基板取付パネル１４１に電源基板ボックス１１７が装着された状態を示す図であ
り、電源基板ボックス１１７の装着状態では、パチンコ機の裏面側から見て電源基板ボッ
クス１１７の右隣には、上皿のオーバーフロー球を下皿へと誘導するためのオーバーフロ
ー誘導通路を構成する球通路構成部材１１９が設置されている。そして電源基板ボックス
１１７と球通路構成部材１１９の後面を、それぞれ概ね平坦でかつ面一に設定し、これに
よって電源基板ボックス１１７よりも横幅の大きい払出制御基板ボックス１１５の配置ス
ペースを確保している。すなわち、電源基板ボックス１１７と球通路構成部材１１９の後
面空間を払出制御基板ボックス１１５の配置スペースとしている。
【００１９】
図８に示すように、電源基板ボックス１１７の一端（パチンコ機後面側から見て左側）
には、差込部１４７が設定され、球通路構成部材１１９の一端（パチンコ機後面側から見
て右側）には、係止部１４９が形成されている。一方、図１０および図１１は払出制御基
板ボックス１１５を示す図であり、図示の如く払出制御基板ボックス１１５の一端には電
源基板ボックス１１７の差込部１４７に挿入可能な係止爪１５１が設けられ、他端部には
弾性係止片１５３が設けられている。そして払出制御基板ボックス１１５は、係止爪１５
１を電源基板ボックス１１７の差込部１４７（図８参照）に差し込んだのち、差込部１４
７を中心にして前方へ回動させて電源基板ボックス１１７と球通路構成部材１１９の後面
に被さるように重ね合せ、その状態で、弾性係止片１５３が球通路構成部材１１９の係止
部１４９に対し弾性係合することによって止着される。すなわち、払出制御基板ボックス
１１５は、電源基板ボックス１１７と球通路構成部材１１９に跨って配置される構成とさ
れ、この状態は、図２あるいは図６に示されている。かかる構成によれば、限られたスペ
ースである本体枠１０３の裏面に、払出制御基板ボックス１１５、電源基板ボックス１１
７、および球通路構成部材１１９を効率よく配置することが可能となる。上記の電源基板
ボックス１１７が本発明における「第１の基板ボックス」に対応し、払出制御基板ボック
ス１１５が本発明における「第２の基板ボックス」に対応する。
【００２０】
ところで、電源基板のように、他の制御基板に比べて比較的発熱量の大きい回路基板の
場合、アルミ製の放熱フィンを設けることで基板の放熱効果を高めることが考えられる。
このことについては、後述する。そしてアルミ製の放熱フィンを回路基板上に設置したと
きは、他の回路基板に比べて重量が大となり、安定した支持構造を要求されることとなる
。かかる事情に鑑み、本実施の形態では、比較的重量の大なる電源基板を収容する電源基
板ボックス１１７については、上述した切り起こし状の係止爪１４３と係止片１４５を用
いたスライドによる係止構造によって止着する構成を採用し、電源基板ボックスに比べて
軽量の払出制御基板ボックス１１５については、差込部１４７と係止爪１５１による回動
構造および弾性係止片１５３を用いた弾性係合による止着構造を採用したものである。
【００２１】
係止爪１４３と係止片１４５のスライドによる係合方式によれば、強度の確保が容易で
あり、電源基板ボックス１１７を安定した状態に保持できるとともに、その取り外しにつ
いても、例えばネジ等を用いた締結構造に比べて簡単に行うことができる。一方、差込部
１４７と係止爪１５１による回動構造および弾性係止片１５３を用いた弾性係合による止
着構造によれば、払出制御基板ボックス１１５を必要に応じて簡単に回動させることが可
能なため、電源基板ボックス１１７を視認する上で都合がよい。かかる構成を採用するこ
とにより、比較的重量の重い電源基板ボックス１１７と軽い払出制御基板ボックス１１５
に対して合理的な取付構造が提供されることとなった。
【００２２】
次に図１２および図１３を参照して電源基板ボックス１１７の放熱構造につき説明する
。図１２は電源基板ボックス１１７を示す斜視図、図１３は電源基板ボックス１１７の分
解斜視図である。なお図１３に表す電源基板１６２は、放熱フィン１６５およびコネクタ
端子以外の基板実装部品を省略して描いている。電源基板ボックス１１７は、基板ベース
１６１と、当該基板ベース１６１に装着されるボックスカバー１６３とからなり、電源基
板１６２を収容する。基板ベース１６１は縦向きに配置され、当該基板ベース１６１に取
り付けられた電源基板１６２の部品実装面には、その上部領域にアルミ製の放熱フィン１
６５が取り付けられている。この放熱フィン１６５は、基板ベース１６１の面方向に対し
交差して概ね水平状（横向き）に配置されるベース１６５ａと、当該ベース１６５ａの上
面に対して互いに前後方向に適宜間隙を置いて平行に配列された複数のフィン１６５ｂを
有する。
【００２３】
一方、ボックスカバー１６３は、前面側（パチンコ機正面側）と上面側の壁を開放した
形状とされ、基板ベース１６１の部品実装面側（パチンコ機後面側）に対し前端縁を突き
当てた状態で当該基板ベース１６１と適宜手段によって接合され、これによって電源基板
の部品実装面を覆い保護する。なおボックスカバー１６３と基板ベース１６１の接合構造
については説明を省略する。
【００２４】
図１２に示すように、ボックスカバー１６３と基板ベース１６１が接合された状態では
、ボックスカバー１６３の上面開口部分１６３ａを取り囲む壁面と放熱フィン１６５の側
面との間に殆ど隙間が生じない状態で、放熱フィン１６５が上面開口部分１６３ａに嵌り
込む構成とされている。なお本実施の形態では、放熱フィン１６５の先端がボックスカバ
ー１６３の上面から僅かに突き出る程度で設定しているが、その突き出し高さについては
、適宜に設定される。
【００２５】
上記のように、本実施の形態では、放熱フィン１６５を電源基板１６２上に実装した状
態で基板ベース１６１に取り付けるとともに、当該放熱フィン１６５をボックスカバー１
６３の上面に露出する構成としたものであり、電源基板１６２に設けた放熱フィン１６５
によってボックスカバー１６３の上壁を形成する構成としている。このため、放熱フィン
１６５がボックスカバー１６３の外部に露出されて外気に直に接触する形態となり、ボッ
クスカバー１６３内の熱が放熱フィン１６５を介して外へ積極的に放熱される。このため
、例えばボックスカバー１６３自体に単に多数の放熱穴を設ける放熱方式に比し、電源基
板ボックス１１７の放熱性能をアップすることができる。また放熱フィン１６５がボック
スカバー１６３の上側開口部分１６３ａに嵌り込む構成としたことにより、ボックスカバ
ー１６３に外側から外力が加えられたとき、放熱フィン１６５が当該外力に対抗してボッ
クスカバー１６３を保護することができる。
【００２６】
なお電源基板ボックス１１７は、前述したように、本体枠後面における中央開口部１１
１の下方領域に配置される。この配置状態において、本実施の形態では、電源基板ボック
ス１１７の上方において遊技盤１０５側に配置される主制御基板ボックス１２１あるいは
副制御基板ボックス１２３（主として副制御基板ボックス１２３）の下縁部との間に所定
の間隙Ｓを設定している（図８参照）。このような隙間Ｓを設定することによって風の流
路が確保され、効率のよい放熱作用が行われる。
【００２７】
図１４〜図１６は電源基板ボックス１１７の放熱構造に関する変更例を示している。図
１４は電源基板ボックス１１７の斜視図であり、図１５は基板ベース１６１に電源基板１
６２を組付けた状態を示す平面図、図１６はボックスカバー１６３の斜視図である。なお
図１５に表す電源基板１６２は、放熱フィン１６５およびコネクタ端子以外の基板実装部
品を省略して描いている。この変更例においては、図１５に示すように、電源基板１６２
の部品実装面の一方の側部（パチンコ機の後面側から見て右側）には、アルミ製の放熱フ
ィン１６５が取り付けられている。この放熱フィン１６５は、基板ベース１６１の面方向
に対し交差して概ね垂直状（縦向き）に配置されるベース１６５ａと、当該ベース１６５
ａの側面に直交し、互いに適宜間隙を置いて平行に配列された複数のフィン１６５ｂを有
する。
【００２８】
一方、ボックスカバー１６３は、図１６に示すように、前面側（パチンコ機正面側）と
一側面（パチンコ機の後面側から見て右側）の壁を開放した形状に形成されており、図１
４に示すように、電源基板１６２の部品実装面側（パチンコ機後面側）に対し前端縁を突
き当てた状態で基板ベース１６１に適宜手段によって接合され、これによって電源基板１
６２の部品実装面を覆い保護する。
【００２９】
ボックスカバー１６３と基板ベース１６１が接合された状態では、図１４に示すように
、放熱フィン１６５がボックスカバー１６３の横側開口部分１６３ｂから外側に突出され
、フィン相互間に形成される間隙によって上下方向に延びる空気通路が構成される。これ
により、フィン相互間の間隙には、積極的に下方から上方に向う空気流れが発生すること
となり、その結果、フィン１６５ｂと空気との接触効率が高められ、より高い放熱性能を
得ることができる。
【００３０】
ところで、各種の基板ボックスは、上述したように、本体枠１０３や遊技盤１０５の裏
面に対して、あるいは他の基板ボックスに対して前後に重ね合わせた状態で取り付けられ
る場合がある。このため、基板ボックスの底面（重ね合わせ面）には、係止爪の如き取付
部が設定される。ところが、取付部がボックス底面から突出する形態で設定されていると
、例えば製造後の基板ボックスを一時的に保管あるいは運搬する場合において、ボックス
カバー側を上側にして複数の基板ボックスを上下に積み重ねた場合、上記の取付部によっ
て安定した状態を得ることができない。
【００３１】
そこで、本実施の形態では、上記の事情に鑑み、複数の基板ボックスを安定した状態で
積み重ねることができる構造を備える。図１７〜図１９は、その一例としての払出制御基
板ボックス１７１の構造を示す図であって、図１７は払出制御基板ボックス１７１をパチ
ンコ機裏面側から見た斜視図、図１８は払出制御基板ボックス１７１をパチンコ機正面側
から見た斜視図、図１９は払出制御基板ボックス１７１を積み重ねた状態の模式図である
。
払出制御基板ボックス１７１は、基板ベース１７３と、当該基板ベース１７３に装着さ
れるボックスカバー１７５とから形成されるとともに、払出制御基板（図示省略）を収容
する。図１８に示すように、概ね長方形状に形成された基板ベース１７３の底面（払出制
御基板の取付面と反対の面）には、各隅部と中央部とに合計５個の取付部１７７が設けら
れている。この取付部１７７は、それぞれが底面から突き出た形態で設けられており、前
述した遊技盤１０５の後面あるいは本体枠１０３の後面に対して着脱自在に取り付けられ
る構成とされる。なお取付構造自体については、直接には関係ないため、説明を省略する
。
【００３２】
一方、ボックスカバー１７５には、当該ボックスカバー１７５を上側にして複数の払出
制御基板ボックス１７１を上下に積み重ねたとき、基板ベース１７３から突き出ている取
付部１７７を収納することが可能な広さの空間を有する凹部１７９を設定している。本実
施の形態では、基板ベース１７３の底面に設定された５個の取付部１７７のうち、隅部の
４個の取付部１７７は、複数の払出制御基板ボックス１７１を積み重ねた状態のときにボ
ックスカバー１７５との合わせ面から外れた位置に設けられており、このため、ボックス
カバー１７５には、中央の取付部１７７に対応する１個の凹部１７９が形成されている。
【００３３】
上記のような構成としたことによって、図１９に示すように、複数の払出制御基板ボッ
クス１７１を上下に積み重ねたとき、上に載せられた払出制御基板ボックス１７１の中央
の取付部１７７が下側の払出制御基板ボックス１７１の凹部１７９に収納され、他の取付
部１７７はボックスカバー１７５との合わせ面の領域外に位置する。このため、上下の払
出制御基板ボックス１７１は、互いに概ね面当たりの状態で重なり合うことになり、安定
した状態で積み重ねることができる。また取付部１７７が凹部１７９に入り込むことによ
って、積み重ね位置の位置決めおよび位置ずれ防止効果をも得ることができる。
【００３４】
なお上述した実施の形態では、パチンコ機１００について説明したが、本発明はパチン
コ機１００に限られるものではなく、例えばアレンジボール機、パチンコ球を使用してス
ロット遊技を行う遊技機等、その他の遊技機であっても適用することが可能である。
【００３５】
また本実施の形態では、電源基板ボックス１１７に放熱フィン１６５を設定する場合で
説明したが放熱フィン１６５の設定適用対象は、電源基板ボックス１１７に限られない。
また基板ボックスを前後に重ね合わせて配置する構造において、前側の基板ボックスにつ
いては、係止爪１４３と係止片１４５を用いたスライドによる係止構造とし、後側の基板
ボックスについては、差込部１４７、係止爪１５１および弾性係止片１５３を用いた回動
方式による止着構造を採用したが、かかる構成の適用対象は、電源基板ボックス１１７と
、払出制御基板ボックス１１５に限らない。また基板ボックスにおいて、ボックスカバー
１７５に、基板ベース１７３に設けた取付部１７７を収納可能な大きさの凹部１７９を設
けることによって、積み重ねたときの安定性を維持する構成については、基板ボックスの
種類を問わず適用可能である。
【００３６】
また上述した実施の形態において、回路基板を収容する基板ボックスにつき下記の如く
構成することが可能である。
遊技機の裏面に回路基板を収容するための基板ボックスが装着されている遊技機であっ
て、前記基板ボックスは、１つのベース部材と、前記ベース部材の一方の面に配置される
第１のカバー部材と、前記ベース部材の他方の面に配置される第２のカバー部材とからな
り、前記ベース部材と前記第１のカバー部材とで第１の回路基板を収容し、前記ベース部
材と第２のカバー部材とで第２の回路基板を収容する構成としたことを特徴とする遊技機
。」
【００３７】
上記のように構成したときは、当該基板ボックスは、１つのベース部材が、当該ベース
部材を挟んで前後に配置される第１のカバー部材と第２のカバー部材とに共用される。こ
のため、２つの基板ボックスを単純に前後に重ね合わせて配置する従来構成に比べて、実
質的にベース部材を１つ分減少することが可能となり、その結果、基板ボックスがコンパ
クト化される。これによって基板ボックスを遊技機の裏面に装着したときの、前後方向の
配置スペースを縮減することができる。
【００３８】
さらに、本発明の趣旨により、下記に述べる各種の態様を構成することが可能である。
（態様１）
「遊技盤を本体枠の前方から当該本体枠の開口部に装着する際に、当該装着動作に基づ
いて互いに係合することによって前記遊技盤側の電気接点と前記本体枠側の電気接点とを
接続する一対のコネクタを備えた遊技機であって、
前記本体枠の裏面における開口部の下部周縁に、第１の制御基板を収容するとともに当
該第１の制御基板を外部から視認可能な第１の制御基板ボックスを配置し、
前記遊技盤の裏面における下部領域に、第２の制御基板を収容するとともに当該第２の
制御基板を外部から視認可能な第２の制御基板ボックスを配置し、
前記本体枠における前記開口部の下部周縁には前記本体枠側コネクタを配置し、前記本
体枠側コネクタと前記第１の制御基板ボックスの端部に設けたコネクタ端子とを電気配線
によって接続したことを特徴とする遊技機。」
【００３９】
態様１に記載の発明によれば、遊技盤を本体枠の前方から当該本体枠の開口部に装着す
る際に、当該装着動作に基づいて係合することによって遊技盤側の電気接点と本体枠側の
電気接点とを接続する一対のコネクタを備えた遊技機が構成される。なお遊技機としては
、典型的にはパチンコ機やアレンジボール機等がこれに該当する。また「遊技盤を本体枠
の前方から本体枠の開口部に装着する」態様としては、本体枠の一側縁下端部に設けた重
量支持部に遊技盤を支持した状態で、当該遊技盤を概ね水平状に回動させて当該本体枠に
前方から取付ける態様、本体枠の一側縁部に対し遊技盤の一側縁部を、凹部あるいは溝部
とそれに嵌る凸部を介して係合した後、当該係合部を支点にして遊技盤を概ね水平状に回
動させて当該本体枠に取付ける態様、本体枠の一側縁に設けた係合部材に遊技盤の一側縁
部を係合させて本体枠に前方から取付ける態様等を好適に包含する。
【００４０】
本発明の遊技機においては、本体枠の裏面における開口部の下部周縁に、第１の制御基
板を収容するとともに当該第１の制御基板を外部から視認可能な第１の制御基板ボックス
を配置し、前記遊技盤の裏面における下部領域に、第２の制御基板を収容するとともに当
該第２の制御基板を外部から視認可能な第２の制御基板ボックスを配置し、前記本体枠に
おける前記開口部の下部周縁には前記本体枠側コネクタを配置し、前記本体枠側コネクタ
と前記第１の制御基板ボックスの端部に設けたコネクタ端子を電気配線によって接続した
構成とされる。本発明における「外部から視認可能」とは、遊技盤を裏面側から見たとき
に、例えば、制御基板の不正防止のため、あるいは当該制御基板に関する各種データの確
認のために照合端子の制御基板ボックス側端子への接続を容易に行いえるように、制御基
板の全体を外部から視認できる態様をいう。また「第１および第２の制御基板ボックス」
は、外部からの視認性を確保することが必要とされる制御基板、典型的にはゲーム構成を
制御するための主制御基板を収容する主制御基板ボックスや球の払い出しを制御するため
の払出制御基板を収容する払出制御基板ボックスがこれに該当する。なお「電気配線」と
は、電源供給用の電源線および情報入出力用の信号線のいずれをも包含する。
【００４１】
本発明においては、第１の制御基板ボックスを本体枠の裏面における開口部の下部周縁
に配置し、第２の制御基板ボックスを遊技盤の下部領域に配置したことにより、それらは
互いに近接した状態での配置となる。このため、制御基板に対する不正な改造あるいは交
換といった不正を発見するための検査時において、それら両ボックスを一度に視認でき、
視認性を向上させることができる。
またコネクタは本体枠の開口部の下部周縁に配置したことにより、第１の制御基板ボッ
クスに対して近接する。このため、コネクタと第１の制御基板ボックスとの接続に用いら
れる電気配線を短くできる。電気配線は、コネクタと第１の制御基板ボックスとを接続す
る際、第１の制御基板ボックスおよび第２の制御基板ボックスに被らないように配置する
ことによって制御基板ボックスに関する外部からの視認性を確保できる。その結果、点検
作業時において、第１および第２の制御基板につき、外部からの視認による、あるいは照
合装置による不正のチェック等を容易に行うことが可能となり、制御基板に関する不正行
為を抑止できる。なお「被らないように配置」とは、電気配線が第１制御基板ボックスお
よび第２制御基板ボックスのいずれにも掛からない状態をいう。すなわち、制御基板の不
正な改造あるいは交換を防止するという観点から、電気配線が第１制御基板ボックスおよ
び第２制御基板ボックスに被さらず、それらボックスの内部が外部からすっきり見える状
態を指す。
【００４２】
（態様２）
「態様１に記載の遊技機であって、
前記コネクタを遊技機裏面から見て左下に配置するとともに、前記第１の制御基板ボッ
クスを、前記第２の制御基板ボックスの下縁部に対し所定の間隙を置いて配置し、前記コ
ネクタから延びる前記電気配線を前記間隙に通して前記第１の制御基板ボックスの上縁部
へと導くように配置したことを特徴とする遊技機。」
【００４３】
態様２に記載の発明によれば、態様１に記載の遊技機において、コネクタを遊技機裏面
から見て左下に配置するとともに、第１の制御基板ボックスを、第２の制御基板ボックス
の下縁部に対し所定の間隙を置いて配置し、コネクタから延びる電気配線を間隙に通して
第１の制御基板ボックスの上縁部へと導くように配置する構成としている。
態様２に記載の発明によれば、第１の制御基板ボックスと第２の制御基板ボックス間に
形成した間隙を利用して、コネクタと第１の制御基板ボックスとを電気配線によって、第
１の制御基板ボックスの周囲を迂回することなく、接続することができる。これにより、
第１および第２の制御基板ボックスの視認性がより向上する。
【００４４】
（態様３）
「態様２に記載の遊技機であって、
前記第１の制御基板ボックスの上縁部へと導かれた前記電気配線を当該上縁部に接続し
たことを特徴とする遊技機。」
【００４５】
態様３に記載の発明によれば、請求項２に記載の遊技機において、第１の制御基板ボッ
クスの上縁部へと導かれた電気配線を当該上縁部に接続する構成としている。本発明によ
れば、電気配線を第１の制御基板ボックスの上縁部に接続する構成としたことにより、電
気配線の短縮化および視認性を確保できる。
【００４６】
（態様４）
「遊技機裏面に基板ボックスを備えた遊技機であって、
前記基板ボックスは、基板ベースとボックスカバーとから形成されるとともに、回路基
板を収容する構成とされ、前記基板ベースまたはボックスカバーのいずれか一方または双
方の少なくとも１つの壁のほぼ全部、あるいは一部が、前記基板ベースに設けた放熱フィ
ンによって構成されていることを特徴とする遊技機。」
【００４７】
態様４に記載の発明によれば、遊技機裏面に基板ボックスを備えた遊技機が構成される
。遊技機としては、典型的にはパチンコ機やアレンジボール機等がこれに該当する。本発
明の遊技機においては、基板ボックスは、基板ベースとボックスカバーとから形成される
とともに、回路基板を収容する構成とされ、基板ベースまたはボックスカバーのいずれか
一方または双方の少なくとも１つの壁のほぼ全部、あるいは一部が、基板ベースに設けた
放熱フィンによって構成されている。本発明における「基板ボックス」としては、遊技機
に備えられる基板ボックスのうち、比較的発熱の大きい回路基板を収容する基板ボックス
、例えば電源基板ボックスに適用することが好適である。本発明によれば、放熱フィンが
基板ボックスから露出する形態となるため、外気との接触による放熱効果が高められるこ
ととなり、ボックスカバーの一部に放熱穴を設けることで回路基板の放熱を行う構造に比
し、回路基板の放熱性能をアップすることができる。
【００４８】
本発明における放熱フィンは、基板ボックスから外側に突出した形態で設定することが
好ましく、更には隣接する相互のフィン間の間隙を通って空気が下から上へと流通するよ
うに設定することが好適であり、このときは、フィンと空気の接触効率が高められ、放熱
効果がより一層アップする。また基板ボックスから放熱フィンが露出する態様としては、
基板ボックスの外表面に対し、フィン先端が面一となる態様、少し引っ込んでいる態様、
突出している態様のいずれも好適に包含する。
【００４９】
（態様５）
「遊技機裏面に２つの基板ボックスが遊技機裏面から見て前後に重ね合わせた状態で装
着されている遊技機であって、
前記基板ボックスのうち、一方の基板ボックスは、遊技機裏面に設けた第１の係止部材
に係合可能な第２の係止部材を有し、遊技機裏面に沿う方向へのスライド動作によって前
記第１の係止部材に第２の係止部材が係合して装着される構成とされ、他方の基板ボック
スは、前記一方の基板ボックスに対し一端側が回動自在とされ、他端側が弾性係止片を介
して係脱自在に止着される構成としたことを特徴とする遊技機。」
【００５０】
態様５に記載の発明によれば、遊技機裏面に２つの基板ボックスが遊技機裏面から見て
前後に重ね合わせた状態で装着されている遊技機が構成される。遊技機としては、典型的
にはパチンコ機やアレンジボール機等がこれに該当する。なお本発明における「前後」と
は、遊技機を裏側から見たときの奥行き方向をいう。本発明の遊技機では、基板ボックス
のうち、一方の基板ボックスは、遊技機裏面に設けた第１の係止部材に係合可能な第２の
係止部材を有し、遊技機裏面に沿う方向へのスライド動作によって第１の係止部材に第２
の係止部材が係合して装着される構成とされ、他方の基板ボックスは、一方の基板ボック
スに対し一端側が回動自在とされ、他端側が弾性係止片を介して係脱自在に止着されてい
る構成とされる。遊技機に備えられる基板ボックスには、比較的重量の重い基板ボックス
と軽い基板ボックスがある。比較的重量の重い基板ボックスとしては、例えば電源基板ボ
ックスがある。本発明によれば、重い方の基板ボックスについては、遊技機裏面に設けた
第１の係止部材と第２の係止部材によるスライド動作を利用して装着する構成を採用する
ことによって、安定した状態に保持することができ、また軽い方の基板ボックスについて
は、重い方の基板ボックスに対して回動構造と弾性係止片による弾性係合を介して装着す
る構成を採用することによって、簡単に回動することができる。
【００５１】
（態様６）
「遊技機裏面に球通路構成部材が設けられている遊技機であって、
前記球通路構成部材の隣に第１の基板ボックスを装着し、前記球通路構成部材と前記第
１の基板ボックスをほぼ面一に設定し、それら球通路構成部材と第１の基板ボックスに跨
って第２の基板ボックスを装着したことを特徴とする遊技機。」
【００５２】
態様６に記載の発明によれば、遊技機裏面に球通路構成部材が設けられている遊技機が
構成される。遊技機としては、典型的にはパチンコ機やアレンジボール機等がこれに該当
する。本発明の遊技機では、球通路構成部材の隣に第１の基板ボックスを装着し、球通路
構成部材と第１の基板ボックスをほぼ面一に設定し、それら球通路構成部材と第１の基板
ボックスに跨って第２の基板ボックスを装着した構成とされる。かかる構成によれば、限
られたスペースである、本体枠裏面の垂直面領域に基板ボックスあるいは球通路構成部材
を効率よく配置することが可能となる。
【００５３】
（態様７）
「態様６に記載の遊技機であって、
前記第１の基板ボックスは、電源基板ボックスであり、前記第２の基板ボックスは、払
出制御基板ボックスであることを特徴とする遊技機。」
【００５４】
一般に、払出制御基板は、電源基板に比べて基板面積が大きい。このため、払出制御基
板と電源基板と球通路構成部材につき、上記のような配置を採用することで、限られたス
ペースを効率的に活用できる。
【００５５】
（態様８）
「遊技機裏面に基板ボックスを備えた遊技機であって、
前記基板ボックスは、基板ベースとボックスカバーとから形成されるとともに、回路基
板を収容する構成とされ、前記基板ベースには遊技機裏面に装着するための外側に突出す
る装着部が設けられ、前記ボックスカバーには内側に凹む凹部が設けられ、当該凹部は前
記基板ボックスと同種の基板ボックスの装着部を収納可能な広さを有することを特徴とす
る遊技機。」
【００５６】
態様８に記載の発明によれば、遊技機裏面に基板ボックスを備えた遊技機が構成される
。遊技機としては、典型的にはパチンコ機やアレンジボール機等がこれに該当する。本発
明の遊技機における基板ボックスは、基板ベースとボックスカバーとから形成されるとと
もに、回路基板を収容する構成とされ、基板ベースには遊技機裏面に装着するための外側
に突出する装着部が設けられ、ボックスカバーには内側に凹む凹部が設けられ、当該凹部
は前記基板ボックスと同種の基板ボックスの装着部を収納可能な広さを有する構成とされ
る。製造後の基板ボックスを一時的に保管あるいは運搬する場合において、ボックスカバ
ーを上側にして複数の基板ボックスを上下に積み重ねることがある。このような場合、上
側基板ボックスの基板ベースに設けられた装着部が、下側基板ボックスのボックスカバー
に設けられた凹部に嵌まり込むように収納される。すなわち、態様７に記載の発明によれ
ば、複数の基板ボックスを安定した状態で積み重ねることができるとともに、積み重ね位
置の位置決めおよび位置ずれ防止効果を得ることができる。
【符号の説明】
【００５７】
１００  パチンコ機（遊技機）
１０１  外枠
１０３  本体枠
１０３ａ  遊技盤取付枠部
１０３ｂ  重量支持部
１０３ｃ  係合部材
１０３ｄ  切欠部
１０５  遊技盤
１０７  ガラス枠
１０９  前板
１１１  中央開口部
１１３ａ  本体枠側のコネクタ
１１３ｂ  遊技盤側のコネクタ
１１５  払出制御基板ボックス（第１の制御基板ボックス）、（第２の基板ボックス）
１１７  電源基板ボックス（第１の基板ボックス）
１１９  球通路構成部材
１２１  主制御基板ボックス（第２の制御基板ボックス）
１２３  副制御基板ボックス
１２５  球タンク
１２７  タンクレール
１２９  払出装置
１３１  電気配線
１４１  基板取付パネル
１４３  係止爪
１４５  係止片
１４７  差込部
１４９  係止部
１５１  爪
１５３  弾性係止片
１６１  基板ベース
１６２  電源基板
１６３  ボックスカバー
１６３ａ  上側開口部分
１６３ｂ  横側開口部分
１６５  放熱フィン
１６５ａ  ベース
１６５ｂ  フィン
１７１  払出制御基板ボックス
１７３  基板ベース
１７５  ボックスカバー
１７７  取付部
１７９  凹部
【図１】
2010104842.tif 000003
【図２】
2010104842.tif 000004
【図３】
2010104842.tif 000005
【図４】
2010104842.tif 000006
【図５】
2010104842.tif 000007
【図６】
2010104842.tif 000008
【図７】
2010104842.tif 000009
【図８】
2010104842.tif 000010
【図９】
2010104842.tif 000011
【図１０】
2010104842.tif 000012
【図１１】
2010104842.tif 000013
【図１２】
2010104842.tif 000014
【図１３】
2010104842.tif 000015
【図１４】
2010104842.tif 000016
【図１５】
2010104842.tif 000017
【図１６】
2010104842.tif 000018
【図１７】
2010104842.tif 000019
【図１８】
2010104842.tif 000020
【図１９】
2010104842.tif 000021